【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
肌着であって：
実質的に筒状の形状を有し、使用者の胴体の少なくとも一部を包囲するように構成された本体を備え、
前記本体は：
前記本体の前面にあるポーチ領域と；
保持縫目を備える縫目領域であって、前記保持縫目は前記ポーチ領域を少なくとも部分的に縁取り、前記縫目領域は前記本体の他の部分よりも横方向への伸縮性が低い、縫目領域と；を備え、
前記縫目領域は、前記ポーチ領域の外周に沿う第１の縫目範囲と、前記ポーチ領域と前記第１の縫目範囲との間の第２の縫目範囲とを備え、
前記第２の縫目範囲は、前記保持縫目を備え、前記第１の縫目範囲よりも横方向への伸縮性が低い、
肌着。
【請求項２】
前記本体は、丸網みされた筒状の未加工の生地で形成された、
請求項１に記載の肌着。
【請求項３】
前記第１の縫目範囲は、外側縫目範囲と内側縫目範囲とを備え、
前記内側縫目範囲は、前記外側縫目範囲よりも横方向への伸縮性が低い、
請求項１または請求項２に記載の肌着。
【請求項４】
前記外側縫目範囲は、第１のリブ構造を備え、
前記内側縫目範囲は、前記第１のリブ構造よりも幅広い第２のリブ構造を備える、
請求項３に記載の肌着。
【請求項５】
前記外側縫目範囲の第１のリブ構造は、１×１のリブ構造を備え、
前記内側縫目範囲の第２のリブ構造は、４×１のリブ構造を備える、
請求項４に記載の肌着。
【請求項６】
前記第２の縫目範囲は、前記第２の縫目範囲付近の前記ポーチ領域内に布地ギャザーを形成するために、前記保持縫目のパターンを備える、
請求項１〜請求項５のいずれか１項に記載の肌着。
【請求項７】
前記本体は、第１の筒状脚部と、前記第１の筒状脚部に略平行な第２の筒状脚部とを備え、
前記第１の脚部及び前記第２の脚部は、前記本体の第１の端部に向かって延在している、
請求項１〜請求項６のいずれか１項に記載の肌着。
【請求項８】
前記第１の筒状脚部は、前記本体の第１の端部において前記第１の筒状脚部に編み込まれた第１の脚バンドを備え、
前記第２の筒状脚部は、前記本体の第１の端部において前記第２の筒状脚部に編み込まれた第２の脚バンドを備える、
請求項７に記載の肌着。
【請求項９】
前記第１の筒状脚部及び前記第２の筒状脚部の内側スリットに沿って縫合され、前記縫目領域及び前記ポーチ領域に沿って少なくとも部分的に縫合されたクロッチ片（股布、crotch piece）をさらに備える、
請求項７または請求項８に記載の肌着。
【請求項１０】
前記縫目領域は、前記クロッチ片と前記ポーチ領域との間の第３の縫目範囲を備える、
請求項９に記載の肌着。
【請求項１１】
前記第３の縫目範囲は、１×１のリブ構造を備える、
請求項１０に記載の肌着。
【請求項１２】
肌着であって：
実質的に筒状の形状を有し、使用者の胴体の少なくとも一部を包囲するように構成された本体を備え、
前記本体は：
前記本体の前面にあるポーチ領域と；
保持縫目を備える縫目領域であって、前記保持縫目は前記ポーチ領域を少なくとも部分的に縁取り、前記縫目領域は前記本体の他の部分よりも横方向への伸縮性が低い、縫目領域と；
第１の筒状脚部と、前記第１の筒状脚部に略平行な第２の筒状脚部であって、前記第１の脚部及び前記第２の脚部は、前記本体の第１の端部に向かって延在している、脚部と；
前記第１の筒状脚部及び前記第２の筒状脚部の内側スリットに沿って縫合され、前記縫目領域及び前記ポーチ領域に沿って少なくとも部分的に縫合されたクロッチ片（股布、crotch piece）を備える、
肌着。
【請求項１３】
前記本体は、丸網みされた筒状の未加工の生地で形成された、
請求項１２に記載の下着。
【請求項１４】
前記縫目領域は、前記ポーチ領域の外周に沿う第１の縫目範囲と、前記ポーチ領域と前記第１の縫目範囲との間の第２の縫目範囲とを備え、
前記第２の縫目範囲は、前記保持縫目を備え、前記第１の縫目範囲よりも横方向への伸縮性が低い、
請求項１２または請求項１３に記載の下着。
【請求項１５】
前記第１の縫目範囲は、外側縫目範囲と内側縫目範囲とを備え、
前記内側縫目範囲は、前記外側縫目範囲よりも横方向への伸縮性が低い、
請求項１４に記載の肌着。
【請求項１６】
前記外側縫目範囲は、第１のリブ構造を備え、
前記内側縫目範囲は、前記第１のリブ構造よりも幅広い第２のリブ構造を備える、
請求項１５に記載の肌着。
【請求項１７】
前記外側縫目範囲の第１のリブ構造は、１×１のリブ構造を備え、
前記内側縫目範囲の第２のリブ構造は、４×１のリブ構造を備える、
請求項１６に記載の肌着。
【請求項１８】
前記第２の縫目範囲は、前記第２の縫目範囲付近の前記ポーチ領域内に布地ギャザーを形成するために、前記保持縫目のパターンを備える、
請求項１４〜請求項１７のいずれか１項に記載の肌着。
【請求項１９】
前記縫目領域は、前記クロッチ片と前記ポーチ領域との間の第３の縫目範囲を備える、
請求項１２〜請求項１８のいずれか１項に記載の肌着。
【請求項２０】
前記第３の縫目範囲は、１×１のリブ構造を備える、
請求項１９に記載の肌着。
【手続補正２】
【補正対象書類名】明細書
【補正対象項目名】００３０
【補正方法】変更
【補正の内容】
【００３０】
多くの実施について説明した。しかし、本開示の趣旨及び範囲から逸脱せずに様々な改変が可能であることが理解されるであろう。
［第１の局面］
肌着であって：
実質的に筒状の形状を有し、使用者の胴体の少なくとも一部を包囲するように構成された本体を備え、
前記本体は：
前記本体の前面にあるポーチ領域と；
前記ポーチ領域を少なくとも部分的に縁取り、前記本体の他の部分よりも横方向への伸縮性が低い縫目領域と；を備える、
肌着。
［第２の局面］
前記本体は、丸網みされた筒状の未加工の生地で形成された、
第１の局面に記載の肌着。
［第３の局面］
前記縫目領域は、保持縫目を備え、
前記保持縫目は、前記ポーチ領域を少なくとも部分的に縁取る、
第１の局面または第２の局面に記載の肌着。
［第４の局面］
前記縫目領域は、前記ポーチ領域の外周に沿う第１の縫目範囲と、前記ポーチ領域と前記第１の縫目範囲との間の第２の縫目範囲とを備え、
前記第２の縫目範囲は、前記保持縫目を備え、前記第１の縫目範囲よりも横方向への伸縮性が低い、
第３の局面に記載の肌着。
［第５の局面］
前記第１の縫目範囲は、外側縫目範囲と内側縫目範囲とを備え、
前記内側縫目範囲は、前記外側縫目範囲よりも横方向への伸縮性が低い、
第４の局面に記載の肌着。
［第６の局面］
前記外側縫目範囲は、第１のリブ構造を備え、
前記内側縫目範囲は、前記第１のリブ構造よりも幅広い第２のリブ構造を備える、
第５の局面に記載の肌着。
［第７の局面］
前記外側縫目範囲の第１のリブ構造は、１×１のリブ構造を備え、
前記内側縫目範囲の第２のリブ構造は、４×１のリブ構造を備える、
第６の局面に記載の肌着。
［第８の局面］
前記第２の縫目範囲は、前記第２の縫目範囲付近の前記ポーチ領域内に布地ギャザーを形成するために、前記保持縫目のパターンを備える、
第４の局面〜第６の局面のいずれか１項に記載の肌着。
［第９の局面］
前記本体は、第１の筒状脚部と、前記第１の筒状脚部に略平行な第２の筒状脚部とを備え、
前記第１の脚部及び前記第２の脚部は、前記本体の第１の端部に向かって延在している、
第１の局面〜第８の局面のいずれか１項に記載の肌着。
［第１０の局面］
前記第１の筒状脚部は、前記本体の第１の端部において前記第１の筒状脚部に編み込まれた第１の脚バンドを備え、
前記第２の筒状脚部は、前記本体の第１の端部において前記第２の筒状脚部に編み込まれた第２の脚バンドを備える、
第９の局面に記載の肌着。
［第１１の局面］
前記本体の前記第１の端部に対向する第２の端部において、前記本体に取り付けられたウエストバンドをさらに備える、
第９の局面または第１０の局面に記載の肌着。
［第１２の局面］
前記第１の筒状脚部及び前記第２の筒状脚部の内側スリットに沿って縫合され、前記縫目領域及び前記ポーチ領域に沿って少なくとも部分的に縫合されたクロッチ片（股布、crotch piece）をさらに備える、
第９の局面〜第１１の局面のいずれか１項に記載の肌着。
［第１３の局面］
前記縫目領域は、前記クロッチ片と前記ポーチ領域との間の第３の縫目範囲を備える、
第９の局面〜第１２の局面のいずれか１項に記載の肌着。
［第１４の局面］
前記第３の縫目範囲は、１×１のリブ構造を備える、
第１３の局面に記載の肌着。
［第１５の局面］
肌着を作製する方法であって：
肌着の本体を形成するために、筒状の未加工の生地を丸網みにより編成するステップを備え、
前記本体は：
前記本体の前面にあるポーチ領域と；
前記ポーチ領域を少なくとも部分的に縁取り、前記本体の他の部分よりも横方向への伸縮性が低い縫目領域と；を備える、
肌着を作製する方法。
［第１６の局面］
前記縫目領域は、保持網目を備え、
前記保持網目は、前記ポーチ領域を少なくとも部分的に縁取る、
第１５の局面に記載の方法。
［第１７の局面］
前記肌着の本体を形成するために、筒状の未加工の生地を丸編みにより編成するステップは、前記ポーチ領域の外周に沿って第１の縫目範囲と、前記ポーチ領域と前記第１の縫目範囲の間に第２の縫目範囲とを形成するために、前記縫目領域内の縫目パターンを選択的に変更するステップを備え、
前記第２の縫目範囲は、保持縫目を備え、前記第１の縫目範囲よりも横方向への伸縮性が低い、
第１５の局面または第１６の局面に記載の方法。
［第１８の局面］
前記肌着の本体を形成するために、筒状の未加工の生地を丸編みにより編成するステップは、前記ポーチ領域を少なくとも部分的に縁取る保持縫目を形成するために、前記縫目領域内の縫目パターンを選択的に変更するステップを含み、
前記保持縫目は、前記ポーチ領域内に布地ギャザーを作り出すように構成されている、
第１５の局面〜第１７の局面のいずれか１項に記載の方法。
［第１９の局面］
前記筒状の未加工の生地を丸編みにより編成するステップは、筒状の未加工の生地の第１の端部のウェルト部から開始して、筒状の未加工の生地を丸編みにより編成するステップを備え、
前記方法はさらに：
前記筒状の未加工の生地に一対のスリットを切り込むステップであって、前記スリットは、前記筒状の未加工の生地の円周上の対向した各位置に切り込まれ、前記筒状の未加工の生地の前記第１の端部から縦方向に延在する、スリットを切り込むステップと；
第２の筒状の未加工の生地を、ウェルト部から開始してウェルト部にて終端するまで丸編みにより編成するステップと；
クロッチ片を形成するために、前記第２の筒状の未加工の生地の長さにかけて、前記第２の筒状の未加工の生地の一部を切断するステップであって、前記クロッチ片は、ウェルト部付き端部を有する、切断するステップと；
２つの脚部を形成するために、前記クロッチ片を最初に述べた前記筒状の未加工の生地のスリットの縁上に縫合するステップと；を備える、
第１５の局面〜第１８の局面のいずれか１項に記載の方法。
［第２０の局面］
少なくとも部分的に肌着を製造する方法であって：
前記方法は：
第１の筒状の未加工生地を、前記第１の筒状の未加工の生地の第１の端部におけるウェルト部から開始して、丸編みにより編成するステップと；
前記第１の筒状の未加工の生地に一対のスリットを切り込むステップであって、前記スリットは前記第１の筒状の未加工の生地の円周上の対向する各位置に切り込まれ、前記第１の筒状の未加工の生地の前記第１の端部から、前記第１の筒状の未加工の生地の縦方向長さに一部沿って延在する、スリットを切り込むステップと；
第２の筒状の未加工の生地を、第１の縦方向端部におけるウェルト部から開始し、第２の縦方向端部におけるウェルト部で終端を成すまで、丸編みにより編成するステップと；
前記第２の筒状の未加工の生地からクロッチ片を切断するステップであって、前記クロッチ片は前記第２の筒状の未加工の生地の一区画であり、前記第１の縦方向端部におけるウェルト部から前記第２の縦方向端部におけるウェルト部まで延在する、クロッチ片を切断するステップと；
２つの脚開口部を作製するために、前記クロッチ片を前記第１の筒状の未加工の生地のスリットの縁上に縫合するステップであって、前記クロッチ片の第１及び第２の縦方向端部の前記ウェルト部は、前記第１の筒状の未加工の生地の前記第１の端部のウェルト部と整列する、縫合するステップと；を備える、
肌着を製造する方法。
［第２１の局面］
ウエストバンドを、前記第１の筒状の未加工の生地の前記脚開口部に対向する位置に取り付けるステップをさらに備える、
第２０の局面に記載の方法。
［第２２の局面］
前記第１の筒状の未加工の生地を丸編みにより編成するステップは、保持縫目の範囲によって少なくとも部分的に縁取られたポーチを作製するために、前記第１の筒状の未加工の生地の縫目パターンを選択的に変更するステップを備える、
第２０の局面または第２１の局面に記載の方法。